(57)【要約】プラズマ表示装置は、主要部（ＭＡ）及び副次部（ＭＩ）を有する勾配を有する維持電圧（ＶＣＰ）をプラズマセル（ＰＣｉｊ）に印加するために第１電極（ＳＥ１）と第２電極（ＣＥ１）との間に結合された波形生成器（ＷＧ）を有する。主要部はプラズマセル（ＰＣｉｊ）の形成タイムラグ（ＦＴＬ）より長い持続時間を有し、副次部は主要部（ＭＡ）より小さい振幅を有する。プラズマセル（ＰＣｉｊ）は副次部（ＭＩ）により点弧され且つ維持される。主要部（ＭＡ）は、先行技術の波形より緩やかな勾配を有する。従って、主要部（ＭＡ）により生成されるＥＭＩはより低い周波数にある。副次部（ＭＩ）は、比較的小さい振幅を有し、それ故、その勾配が比較的急であるときでさえ、ＥＭＩに著しく加えられることはない。プラズマが点弧されず、主要部（ＭＡ）により維持されないとき、主要部（ＭＡ）は、先行技術の勾配より小さい振幅を更に有し、それ故、より小さいＥＭＩを生成する。
2005522719.tif 000002
【特許請求の範囲】
【請求項１】
プラズマセルに対応した第１電極及び第２電極を有するプラズマ表示パネル：並びに
主要部と該主要部に続く副次部とを有する勾配を有する電圧をプラズマセルに印加するための前記第１電極と前記第２電極との間に結合された波形生成器であって、前記主要部は前記プラズマセルの形成タイムラグより長い持続時間を有し、前記副次部は前記主要部より小さい振幅を有し、前記プラズマセルは前記副次部により点弧され且つ維持される、波形生成器；
を有することを特徴とするプラズマ表示装置。
【請求項２】
請求項１に記載のプラズマ表示装置であって、制限は形状である前記主要部を生成するように前記波形生成器は適応される、ことを特徴とするプラズマ表示装置。
【請求項３】
請求項２に記載のプラズマ表示装置であって、前記波形生成器は、前記形成タイムラグの２乃至５倍長続きする正弦波期間の実質的に４分の１を有する前記主要部を生成するように、適応されている、ことを特徴とするプラズマ表示装置。
【請求項４】
請求項１に記載のプラズマ表示装置であって、前記波形生成器は、実質的な連続的正弦波を構成する前記主要部を生成するように、適応されている、ことを特徴とするプラズマ表示装置。
【請求項５】
請求項４に記載のプラズマ表示装置であって、前記の実質的な連続的正弦波は形成タイムラグより２乃至２０倍長い期間を有する、ことを特徴とするプラズマ表示装置。
【請求項６】
請求項１に記載のプラズマ表示装置であって、前記波形生成器は：
前記主要部を有する勾配を有する交流電圧を生成するための第１波形生成器；
前記副次部を有する勾配を有するパルス電圧を生成するための第２波形生成器；及び
維持電圧を供給するためにパルス電圧及び交流電圧を代数的に加算するための結合回路；
を有する、ことを特徴とするプラズマ表示装置。
【請求項７】
請求項６に記載のプラズマ表示装置であって、前記第１波形生成器は、スイッチを有するエネルギー回収回路と交流電圧の勾配の間にプラズマパネルのパネル静電容量と共に共振回路を構成するためのインダクタンスとを有し、該インダクタンスは形成タイムラグより長い勾配の持続時間を得るための値を有する、ことを特徴とするプラズマ表示装置。
【請求項８】
請求項７に記載のプラズマ表示装置であって、前記エネルギー回収回路は、前記インダクタンスを通る共鳴電流が０になる前に供給電圧に前記パネル静電容量を結合するために前記スイッチを制御するためのタイミング回路を有する、ことを特徴とするプラズマ表示装置。
【請求項９】
請求項７に記載のプラズマ表示装置であって、エネルギー回収回路は前記インダクタンスと並列状態に配置された負荷を有する、ことを特徴とするプラズマ表示装置。
【請求項１０】
請求項７に記載のプラズマ表示装置であって、前記インダクタンスはトランスの第１巻き線であり、前記第２波形生成器は前記トランスの第２巻き線に結合され、そして前記結合回路は前記トランスを有する、ことを特徴とするプラズマ表示装置。
【請求項１１】
請求項７に記載のプラズマ表示装置であって、前記波形生成器は第１巻き線及び第２巻き線を有するトランスを有し、前記第１巻き線は前記エネルギー回収回路の電力供給ラインに配置され、前記第２巻き線は前記第２波形生成器に結合され、前記結合回路はトランスを有する、ことを特徴とするプラズマ表示装置。
【請求項１２】
請求項６に記載のプラズマ表示装置であって、前記第２波形生成器は、実質的に矩形状パルスであるパルス電圧を生成するように適応されている、ことを特徴とするプラズマ表示装置。
【請求項１３】
請求項１２に記載のプラズマ表示装置であって、前記第２波形生成器は、形成タイムラグより短いパルス電圧の端部の持続時間を得るように選択された値を有するインダクタを有するエネルギー回収回路を有する、ことを特徴とするプラズマ表示装置。
【発明の詳細な説明】
【技術分野】
【０００１】
本発明はプラズマ表示装置に関する。
【背景技術】
【０００２】
プラズマセルのマトリクスを有するプラズマパネルの維持移送の間に、駆動器は、プラズマセルにおいて光を生成するためにプラズマパネルの電極間に交流電圧を印加する必要がある。原理的には、矩形波電圧を用いてプラズマパネルを駆動することが可能である。しかしながら、静電容量の電圧が極性を反転するとき、大きい充電又は放電電流が流れる。このような大きい電流は、電極間にある多きプラズマパネルの静電容量と交流矩形波電圧の急勾配とに原因している。
【０００３】
欧州特許出願公開第０５４８０５１号明細書又は欧州特許出願公開第０７０４８３４号明細書に開示されているように、駆動器は、極性反転の間に電磁妨害（ＥＭＩ）の量と電力損失を低減するために、インダクタンスは静電容量と共に共鳴回路を構成するエネルギー回収回路を有する。共鳴回路において、静電容量の電圧は、極性反転の間に、共鳴的に反転し、静電容量の電圧及び静電容量を流れる電流の両方は正弦波状の波形を示す。しかしながら、又、共鳴極性反転のために利用可能な時間が非常に短いとき、多量のＥＭＩが生成される。
【０００４】
一般に、エネルギー回収回路は、電力供給から静電容量を切り離し且つ共鳴回路が構成されるようなインダクタンスに静電容量を結合することにより、共鳴期間が始まる。共鳴回路は共鳴極性反転を引き起こす。共鳴極性反転の後、静電容量は、点弧されたプラズマセルのプラズマ電流が電力供給源により供給される電流極性において、電源に接続される。
【０００５】
十分な振幅のパルスがプラズマセルに供給されるとき、そのセルは、点弧される準備ができている場合（正しい充電量がセルにおいて存在する場合）、点弧される。しかしながら、パルスの勾配が生じる瞬間とプラズマの点弧が起こる瞬間との間に幾らかの時間を要する。この遅延時間は形成タイムラグと呼ばれる。これは、共鳴期間の開始から、プラズマ電流が形成タイムラグの後に流れ始めることを意味する。静電容量は、それ故、プラズマ電流が流れ始める前に、電源に接続される必要がある。従って、共鳴期間は、形成タイムラグの持続時間より短い必要がある。
【発明の開示】
【発明が解決しようとする課題】
【０００６】
本発明の目的は、改善されたＥＭＩ挙動を有するプラズマ表示装置を提供することである。
【課題を解決するための手段】
【０００７】
この目的を達成するために、本発明の特徴は、プラズマセルに対応する第１電極及び第２電極を有するプラズマ表示パネルと、主要部と主要部に続く副次部とを有する勾配をもつ維持電圧をプラズマセルに印加するために第１電極及び第２電極の間に結合された波形生成器とを有するプラズマ表示装置を提供する。
【０００８】
主要部は、先行技術の波形より緩やかな勾配（勾配は、形成タイムラグより長い持続期間を有する）を有する。従って、主要部により生成されるＥＭＩは低周波数域にあり、このことは有利である。副次部は、勾配が比較的急であるときでさえ、比較的小さく、それ故、ＥＭＩに著しく加えられない振幅を有する。プラズマは、副次部の勾配により点弧され、維持される（主要部に加えられるとき、全振幅はプラズマを点弧し且つ維持するには十分大きい）。プラズマが主要部により点弧されず又は維持されないとき、主要部は、先行技術の波形より小さい振幅およびゆるやかな勾配を有し、それ故、生成されるＥＭＩはより小さい。
【０００９】
米国特許出願公開第Ａ／３，６１８，０７１号明細書において、連続的正弦波電圧とパルス電圧の重ね合わせである維持波形について開示されている。パルス電圧は、プラズマの点弧を開始又は終了するが、プラズマセルを維持しない。正弦波電圧はパルス電圧により点弧されたプラズマセルを維持する。正弦波電圧によるプラズマセルの維持は、その維持が比較的緩やかな勾配で起こり、小さく再生され難いプラズマセルの光出力をもたらす欠点を有している。本発明との更なる差は、正弦波はプラズマセルを維持することができる必要があるために先行技術の正弦波電圧の振幅は本発明におけるより大きく選択される必要があり、副次部（先行技術のパルス電圧に匹敵する）はプラズマセルを維持する必要があることである。このようにして、主要部（正弦波電圧に匹敵する）の振幅及び値は、プラズマセルを維持するために選択されない。
【００１０】
請求項２に記載されているような実施形態において、主要部は、生成されるＥＭＩの量を更に小さくするために、正弦波形状にされる。
【００１１】
請求項３に記載されている実施形態において、主要部は、形成タイムラグの２乃至５倍長続きする正弦波期間の実質的に四分の一を有する。通常（プラズマパネルの物理的特性に依存して）、形成タイムラグは約０．５ミリ秒である。勾配の持続期間は、１乃至２．５ミリ秒の範囲内であって、好適には、１．５ミリ秒を選択される。従って、第１高調波の周波数は、先行技術に対して２乃至５倍だけ低下する。又、振幅は、例えば、１７０Ｖから１４０Ｖに低下し、このことは、（１４０／１７０）＾２＝０．６８倍だけ高調波出力を低下させる。
【００１２】
請求項４に記載されているような実施形態において、主要部は、実質的に連続正弦波を構成する。連続正弦波を用いることにより、高調波の量は最小化される。
【００１３】
請求項５に記載の実施形態において、実質的な連続正弦波は、形成タイムラグより２乃至２０倍長い期間を有する。約０．５ミリ秒の形成タイムラグを有するプラズマパネルにおいて、正弦波は、好適には、１００乃至３００ｋＨｚの範囲内の周波数を有する。
【００１４】
請求項６に記載されているような実施形態において、波形生成器は、主要部を有する勾配を有する交流電圧を生成するための第１波形生成器と、副次部を有する勾配を有するパルスを生成するための第２波形生成器と、維持電圧を印加するためにパルス電圧及び交流電圧を代数的に加算するための結合回路とを有する。結合波形を生成する駆動器を用いることが可能であるが、できるだけ該回路を用いることが可能であるため、分離した波形生成器を用いることは有利である。
【００１５】
請求項７に記載されているような実施形態において、第１波形生成器は、交流電圧の勾配の間にプラズマパネルのパネル静電容量を有する共鳴回路を構成するためにインダクタンスとスイッチとを有するエネルギー回収回路を有し、インダクタンスは形成タイムラグより長い勾配の持続時間を得るための値を有する。このことは、既存のエネルギー回収回路を使用することを可能にする。インダクタンス値は、長続きする勾配（又は、小さい周波数の連続正弦波）を得るために増加される必要がある。
【００１６】
請求項８に記載されたような実施形態において、エネルギー回収回路は、インダクタンスを流れる共鳴電流が０になる前に印加電圧にパネル静電容量を結合させるためにスイッチを制御するためのタイミング回路を有する。損失は、共鳴期間の終端に共鳴回路において生じるため、電圧は印加電圧より幾らか小さい。パネル静電容量が電源に接続される瞬間に、パネル静電容量の電圧において小さいジャンプが起こる。このジャンプは、スイッチをより速く閉じることにより大きくなり得る（共鳴期間が終了する前に）。正弦波の振幅がプラズマセルを点弧及び維持することができ且つパルス電圧として機能するような、ジャンプの振幅と、プラズマセルを点弧又は維持することができない正弦波の振幅と、  を得るためにスイッチが閉じる瞬間を選択することが可能である。
【００１７】
請求項９に記載の実施形態において、エネルギー回収回路は、インダクタンスと並列状態に配置された付加を有する。この抵抗は、好ましい値へのジャンプを大きくするための共鳴回路における付加損失をもたらす。この実施形態の抵抗は、請求項８に記載されているような実施形態と結合されることが可能である。
【００１８】
請求項１０に記載されているような実施形態において、インダクタンスはトランスの第１巻き線であり、第２波形生成器はトランスの第２巻き線に結合され、そして結合回路はトランスを有する。インダクタンスをトランスの一次巻き線により置き換えることにより、既存のエネルギー回収回路を用いることができる。プラズマ表示装置の駆動構成を適応させることは必要とされない。パルス電圧は、トランスの第２巻き線を経由してエネルギー回収回路により生成された交流電圧に加えられる。
【００１９】
請求項１１に記載されているような実施形態において、第１波形生成器は第１巻き線及び第２巻き線を有するトランスを有する。第１巻き線はエネルギー回収回路の電力ラインに配置され、第２巻き線第２波形生成器に結合されている。結合回路はトランスを有する。電力供給ラインにトランスの一次巻き線を配置することにより、パルス電圧が、エネルギー回収回路により生成される交流電圧にトランスの二次巻き線を介して加えられる。エネルギー回収回路は緩やかな勾配を生成するために適応される。小さい交流電圧の振幅は電力供給電圧を減少させることにより得られる。
【００２０】
請求項１２において記載されているような実施形態において、パルス電圧は実質的に矩形パルスである。これは、プラズマセルの点弧がパルス電圧の非常に急勾配の端部によりもたらされる優位性を有している。勾配が十分急でないとき、プラズマセルの点弧は再現性がなく、最適な光出力とならない。比較的小さいパルス電圧の振幅のために、急勾配の高周波数はＥＭＩに対して比較的小さい寄与をもたらす。
【００２１】
請求項１３に記載しているような実施形態において、第２波形生成器はエネルギー回収回路を有する。ここで、請求項１３に記載のパルス電圧の急勾配の端部は正弦波形状になり、ＥＭＩは減少する。
【００２２】
エネルギー回収回路は、形成タイムラグより小さいパルス電圧の勾配の持続時間を得るために選択された値を有するインダクタを有する。勾配の持続時間は、大きいプラズマ（維持）電流が流れ始める前にエネルギー回収回路のスイッチが電力供給電圧にパネル静電容量を接続するようにする形成タイムラグより長くない必要がある。
【００２３】
本発明の以上の及び他の特徴は、以下に説明する実施形態を参照して明らかになり、それらにより理解されるであろう。
【発明を実施するための最良の形態】
【００２４】
異なる図における同じ参照符号は、同じ機能を実行する同じ構成要素を表す。
【００２５】
図１は、プラズマ表示装置のブロック図である。
【００２６】
プラズマ表示装置は、プラズマ表示パネル１、データ駆動器ＤＤ、走査駆動器ＳＤ、共通電極駆動器ＣＤ、制御器ＣＯ及び波形生成器ＷＧを有する。
【００２７】
既知の３つの電極のプラズマ表示パネル１は、走査電極ＳＥ１乃至ＳＥｎ、更にＳＥｉ、共通電極ＣＥ１乃至ＣＥｎ、更にＣＥｉ、データ電極ＤＥ１乃至ＤＥｍ、更にＤＥｊ、及びプラズマセルＰＣ１１乃至ＰＣｎｍ、更にＰＣｉｊを有する。
【００２８】
走査電極ＳＥｉ及び共通電極ＣＥｉは実質的に並列に配置される。隣接する走査電極ＳＥｉ及び共通電極ＣＥｉは同じプラズマセルＰＣｉｊに対応される。通常、プラズマセルＰＣｉｊは物理的に分離されていないが、プラズマチャネルにおける領域である。プラズマチャネルは、隣接する走査電極ＳＥｉ及び共通電極ＣＥｉと関連付けられる。プラズマセルＰＣｉｊを構成する領域は、隣接する走査電極ＳＥｉ及び共通電極ＣＥｉ並びに交差するデータ電極ＤＥｊと関連付けられる。データ電極ＤＥｊは、走査電極ＳＥｉ及び共通電極ＣＥｉの両方に対して実質的に直行するように配列される。
【００２９】
走査駆動器ＳＤは走査電極ＳＥｉに操作電圧を印加する。共通駆動器ＣＤは共通電極ＣＥｉに共通電圧を印加する。共通駆動器は、共通電極ＣＥｉ全てに又は共通電極の群に、同様の共通電圧を印加することが可能である。データ駆動器ＤＤは、データ電極ＤＥｊにデータ電圧を印加するために入力データＩＤを受ける。
【００３０】
制御器ＣＯは、走査駆動器ＳＤに制御信号ＣＯ１を、データ駆動器ＤＤに制御信号ＣＯ２を、共通電極駆動器ＣＤに制御信号ＣＯ３を、そして駆動器ＷＧに制御信号ＣＯ４を印加するために、入力データＩＤに属す同期化信号ＳＹを受ける。制御器ＣＯはそれらの駆動器により印加される信号及びパルスのタイミングを制御する。
【００３１】
プラズマ表示装置は既知の方法で動作する。
【００３２】
プラズマ表示パネル１のアドレス期間の間に、プラズマチャネルは、通常、一つずつ点弧される。点弧されたプラズマチャネルは小さいインピーダンスを有する。データ電極ＤＥｊにおけるデータ電圧は、小さいインピーダンスプラズマチャネルとデータ電極ＤＥｊに関連付けられる各々のプラズマセルＰＣｉｊ（画素）における電荷量を決定する。アドレス期間の後に続く維持期間の間に光を生成するためにこの電荷により前提条件とされた画素ＰＣｉｊは、この維持期間の間、点灯される。小さいインピーダンスを有するプラズマチャネルは更に、選択されたライン（画素の）と呼ばれる。アドレスフェーズの間、選択ラインの画素ＰＣｉｊに記憶されたデータ信号はデータ駆動器ＤＤによりライン毎に供給される。
【００３３】
維持フェーズの間、走査駆動器ＳＤ及び共通電極駆動器ＣＤは、前のアドレス期間の間に記憶されたデータを有するライン全てに、選択パルス及び共通パルスをそれぞれ供給する。点灯されるべき予め充電された画素は、関連するプラズマセルＰＣｉｊが点弧されるときはいつでも、点弧される。プラズマセルＰＣｉｊは、点弧されるように予め充電されるとき点弧され、関連付けられた走査電極ＳＥｉ及び共通電極ＣＥｉによりプラズマセルＰＣｉｊに印加される維持電圧は十分な量を充電する。点弧数は、画素ＰＣｉｊにより生成される光の全量を決定する。
【００３４】
実際の実施においては、維持電圧は交流極性のパルスを有する。正パルスと負パルスとの間の電圧差は、光を生成するために予め充電されるプラズマセルＰＣｉｊを点弧するためであって、光を生成しないために予め充電されるプラズマセルを点弧しないために選択される。
【００３５】
本発明は、主要部と次の副次部とを有する勾配をする、プラズマセルＰＣｉｊの維持電圧ＶＣＰが生じるような共通電圧ＶＣ及び走査電圧ＶＳを提供する波形生成器ＷＧに導く。主要部は、既知のエネルギー回収回路により生成された波形に関して緩やかな勾配（形成タイムラグより長い）と小さい振幅（プラズマを維持することができる必要がない）とを有する。副次部は比較的小さい振幅を有し、プラズマが副次部に応じて着荷されるように、主要部の後に続く副次部が全波形の振幅を大きくすることを満足する。副次部は、プラズマの最適な点弧を得るために急勾配を示すことが可能である。副次部により生成されるＥＭＩ量は、その比較的小さい振幅のために、比較的小さい。
【００３６】
交流電圧ＶＡ及びパルス電圧ＶＰの重ね合わせ（例を図３Ｄ及び３Ｅに示す）として結果として得られる維持電圧ＶＣＰを規定することが可能である。交流電圧ＶＡの勾配は主要部ＭＡであり、パルス電圧ＶＰの勾配は副次部ＭＩである。交流電圧ＶＡの振幅はプラズマを点弧しないこと又は維持しないことを選択し、その勾配は、傾城タイムラグＦＴＬより長い持続時間を有する。好適には、交流電圧ＶＡの振幅は、パルス電圧ＶＰの比較的急な勾配によりもたらされるＥＭＩを最小化するために、できるだけ小さいパルス電圧ＶＰの振幅を得るように、できるだけ大きい。
【００３７】
プラズマセルＰＣｉｊの電圧ＶＣＰは、代数的に加算される２つの分離した波形として、実際に生成される必要はない。電圧ＶＣＰは、幾つかの部分を有する単一波形として生成されることが可能である。
【００３８】
維持フェーズの間に、プラズマセルＰＣｉｊ全ての電圧は極性を変える必要がある。並列に配列されたプラズマセルＰＣｉｊ全ては大きいパネル静電容量ＣＰを生成する。先行技術に関連して、上で説明したように、極性反転は、プラズマセルＰＣｉｊの形成タイムラグの範囲内で生じる必要がある。例として、４２インチサイズの１２０個の行が並列に接続され、パネル静電容量が１５ｎＦであり、維持電圧は約４５Ａの電流をもたらす約０．５ミリ秒において−１７０Ｖから＋１７０Ｖまで変化する必要がある。大きい電流は、維持電流が流れ始める前に電源にパネル静電容量が接続される必要があるために必要とされる０．５ミリ秒のような急勾配を維持電圧が有する場合に特に、大きいＥＭＩ量をもたらす。維持勾配の開始に関する維持電流が流れる始まりは、形成タイムラグＦＴＬである。
【００３９】
図２はエネルギー回収回路を示している。
【００４０】
エネルギー回収回路ＥＲＣは、走査駆動器ＳＤに走査電圧ＶＳを印加するための端子Ｔ１と共通駆動器ＣＤに共通電圧ＶＣを印加するための端子Ｔ２とを有する。端子Ｔ１は、電子スイッチＳ２を介して電力供給電圧ＶＢを供給する電源の負極に、そして電子スイッチＳ１を介して電源の正極に接続されている。端子Ｔ２は、電子スイッチＳ４を介して電力供給電圧ＶＢを供給する電源の負極に、そして電子スイッチＳ３を介して電源の正極に接続されている。
【００４１】
端子Ｔ１は、コイルＬ、ダイオードＤ２及び電子スイッチＳＤ２の直列配列を介して端子Ｔ２に接続されている。ダイオードＤ２は、示されている矢印の方向に流れる電流Ｉを導くために極性をもつようにされる。ダイオードＤ１及び電子スイッチＳＤ１の直列配列は、ダイオードＤ２及びスイッチＳＤ２の直列配列と並列の状態で配置されている。ダイオードＤ１は、ダイオードＤ２に関して反対の極性をもつようにされる。タイミング回路ＴＣは、スイッチＳ１乃至Ｓ４及びスイッチＳＤ２及びＳＤ１に制御信号ＴＳ１乃至ＴＳ６をそれぞれ供給する。抵抗ＲはコイルＬと並列の状態に配列されている。
【００４２】
電子スイッチは、バイポーラトランジスタ又はＭＯＳＦＥＴトランジスタのようないずれの制御可能な電子スイッチとすることが可能である。
【００４３】
エネルギー回収回路の動作については図３を参照して明らかにする。
【００４４】
図３は、エネルギー回収回路を有するプラズマ表示装置の維持パルスの波形を示している。
【００４５】
図３Ａは、先行技術のプラズマ表示装置において生じる維持パルスＶＣＰ＝ＶＳ−ＶＣを示している。先行技術のプラズマ表示パネルにおいては、図２に示す抵抗Ｒは存在しない。
【００４６】
維持パルスＶＣＰの立ち上がり端部はｔｓの時点で開始し、ｔ１の時点で終了する。維持周期は、スイッチＳ１及びＳ４が閉状態にされ、パネル静電容量ＣＰが電力供給電圧ＶＢ（例えば、１７０Ｖ）に充電されるフェーズＰ１から開始する（ｔ０の時点で開始し、ｔ１の時点で終了する）ことを示している。
【００４７】
ｔ１の時点で、スイッチＳ１及びＳ４は開状態にされ、スイッチＳＤ２は閉状態にされる。コイルＬ及びパネル静電容量ＣＰは共鳴回路を構成し、制限は電流Ｉが流れ始める。この共鳴フェーズＰ２の間、余弦形状電圧ＶＣＰはパネル静電容量ＣＰにおいて存在する。ｔ２の時点で、パネル静電容量を流れる電流Ｉは極性を変化させ、共鳴電流は、ダイオードＤ２が電流Ｉをブロックするために共鳴を停止する。ここで、スイッチＳ２及びＳ３は、パネル静電容量ＣＰの負極性において電力供給電圧ＶＢに接続するために閉状態にされる必要がある。スイッチＳＤ２は開状態にされることができる。
【００４８】
スイッチＳ２及びＳ３が閉状態にされる期間Ｐ３の間、プラズマ点弧が電源により供給され且つ共鳴回路における避けられないエネルギー損失が補償される（ｔ２の時点の電圧ＶＣＰにおける小さいステップ）とき、大きい維持電流が流れる。ｔ３の時点で、スイッチＳ２及びＳ３は開状態にされ、スイッチＳＤ１は閉状態にされる。ここで、期間Ｐ４の間に、パネル静電容量ＣＰの電圧はその極性を再び共鳴的に変化させる。
【００４９】
この先行技術は、パネル静電容量ＣＰの電圧の極性を変化させるために半周期の共鳴現象を用いる。パネル静電容量ＣＰに蓄積されたエネルギーを回収することにより、平滑な勾配（期間Ｐ２及びＰ４の間の）がプラズマパネル１に供給され、生成されたＥＭＩ量は、エネルギー回収回路を用いることなく、システムに関して減少される。プラズマ（光生成するために準備されたセルに関連付けられる）が、期間Ｐ２及びＰ４の間に、共鳴購買により点弧されることとなる。
【００５０】
図３Ｂは、本発明に従った実施形態において生成される維持パルスを示している。この維持パルスＶＣＰと図３Ａに示している先行技術の維持パルスとの間の差は次のようである。
（ｉ）正弦波部分の振幅は、これらの正弦波部分がプラズマセルＰＣｉｊを点弧することができない又は維持することができないように、小さい（例えば、３４０Ｖの代わりに２８０Ｖ）。
（ｉｉ）正弦波部分の勾配は緩やかであり、正弦波部分は点弧に関連しておらず又はプラズマセルＰＣｉｊの維持に関連していないためにこれは可能であり、それ故、形成タイムラグＦＴＬは制約ではない。
（ｉｉｉ）ｔ０の時点における維持パルスのステップは、プラズマが正弦波部分において重ね合わされるこのステップにより点弧されるように、選択される（例えば、６０Ｖ）。このステップの急勾配は、ここで、形成タイムラグＦＴＬが重要であるように関連している。図３Ｂにおいて、このステップの勾配は、更なるエネルギー回収回路により生成され、それ故、余弦形状であり、平成タイムラグＦＴＬより短い０．５ミリ秒の持続時間を有する。それは、ステップの急勾配を有することを可能にするが、ＥＭＩにおける利得はより小さくなる。しかしながら、ＥＭＩの利得は、ステップ電圧の大きさが小さいために、尚も大きい。
【００５１】
正弦波部分は、主要部ＭＡ又は交流電圧ＶＡの例である。ステップは、副次部ＭＩ又はパルス電圧ＶＰの例である。主要部は、上がり勾配に対するＭＡ及び立ち下がり勾配に対するＭＡ´により示される。副次部は、上がり勾配に対するＭＩ及び立ち下がり勾配に対するＭＩ´により示される。
【００５２】
図３Ｂにおいて示される波形は、一方で、平坦部分により接続される立ち下がり勾配ＭＡ´及び立ち上がり勾配ＭＡを有する正弦波形状電圧ＶＡと、他方で、平坦部分により接続される立ち下がり勾配ＭＩ´及び立ち上がり勾配ＭＩを有するパルス形状電圧との重ね合わせであるとみなされることが可能である。好適には、電圧ＶＡ及びＶＰの両方における立ち上がり勾配及び立ち下がり勾配は、等しい最大値及び最小値を有するように中央に集められる。
【００５３】
この波形は、図６及び７に示す本発明に従った実施形態により生成されることが可能である。図２に示す抵抗は存在していない。
【００５４】
図３Ｃは、本発明に従った実施形態において生成される維持パルスを示している。この維持パルスＶＣＰと図３Ｂに示す維持パルスとの間の差は、正弦波の最も低い有効な周波数が得られるように、正弦波部分ができるだけ選択されることである。又、この波形は、ｔ１の時点で端部（又は、急勾配）及びｔ３の時点で反対極性の端部を有するパルス電圧ＶＰ及び連続正弦波電圧である、交流電圧ＶＡの重ね合わせであるとみなされることが可能である。
【００５５】
図３Ｂ及び３Ｃに示す維持パルスＶＣＰは多くの方法で生成されることができる。例えば、合成波形は、小信号波形生成器とクラスＡ又はＤ出力ステージを有する波形生成器ＷＧにより生成される。これらの維持パルスは、好適には、図２のエネルギー回収回路により生成される。このことは、プラズマパネル１の駆動が、先行技術に関して、最低限、抵抗されるという優位性を有する。先行技術のエネルギー回収回路に対する差は、長続きする正弦波（余弦形状）部分を得るためにコイルのインダクタンスが増加される（例えば、４乃至２５倍）ことである。既に点弧されている場合、プラズマが点弧されないように又は維持されないように、正弦波部分が小さい振幅を有するようにする損失を得るために抵抗Ｒが加えられる。パルス電圧（例えば、１１０Ｖから１７０Ｖにジャンプするステップ）は、抵抗の値と電力供給電圧ＶＢの値とにより決定されるため、自動的に正確な値を有する。プラズマは、パルス電圧ＶＰにおけるステップにより点弧される。
【００５６】
共鳴期間Ｐ２、Ｐ４が終了する前に、スイッチＳ１及びＳ４を閉状態にすることにより維持電圧ＶＣＰにおけるステップを得ることが又、可能である。電流Ｉは、尚も、共鳴回路において流れており、余弦形状波形は、未だ、最大値ではない。抵抗Ｒは、抵抗Ｒにより導入される付加的な損失を得る、この維持において必要とされない。
【００５７】
図６に示すトランスにより抵抗Ｒを置き換えることが又、可能である。その必要な損失は、トランスの二次巻き線における付加により導入される。トランスの二次巻き線は、好適には、表示装置の回路に対して電力電圧を供給する。抵抗におけるエネルギーを損失に代えて、そのトランスの二次巻き線による損失は有用に用いられる。
【００５８】
図３Ｄは、本発明に従った実施形態において生成される維持パルスＶＣＰを示している。この維持パルスＶＣＰは、連続的正弦波波形ＣＷＳ、ＶＡに重ね合わされるパルス信号ＶＰである。維持電圧ＶＣＰの立ち上がり勾配は、正弦波ＣＷＳ、ＶＡに加えられるパルスＶＰを伴って、ｔｓの時点で開始する。ＭＩＬの期間の後、パルスは終了し、主要部ＭＡは開始する。パルスＶＰは主要部ＭＡの端部において発生する。このパルスＶＰは、立ち上がり勾配の間、ｔ１の時点まで期間ＭＩを続ける。パルスＶＰが期間ＭＩの開始において立ち上がるとき、及びｔ３の時点の前に期間ＭＩ´において立ち下がるとき、プラズマはパルスＶＰにより点弧される。
【００５９】
図３Ｅは、本発明に従った実施形態において生成される維持パルスＶＣＰを示している。この維持パルスＶＣＰは、余弦部分の波形の間に重ね合わされるパルス信号である。パルス信号ＶＰが存在する期間の間の破線は、正弦波形状の交流電圧ＶＡを示している。図３Ｄに示す勾配と同様に、勾配は、パルス部分（ＭＩＬ）、正弦波形状部分（ＭＡ）及び次のパルス部分（ＭＩ´）を連続的に有する。
【００６０】
又、図３Ｄ及び３Ｅに示す波形は多くの方法で生成されることができる。そのような波形は、好適には、図５乃至７に関して示し且つ説明した回路により生成される。
【００６１】
図４は、形成タイムラグを明らかにする時間図である。維持電圧ＶＣＰは、ｔ８の時点の立ち上がり勾配及びｔ１１の時点の立ち下がり勾配を有するパルスとして示されている。簡単化のために、勾配の実際の形状を示していない。プラズマが点弧されるときにプラズマパネルを通って流れるプラズマ電流Ｉは、プラズマパネル１の維持電圧ＶＣＰの勾配が発生するｔ８の時点より後の形成タイムラグＦＴＬであるｔ９の時点で開始する。プラズマ電流Ｉは、ｔ１０の時点まで流れる。簡単化のために、プラズマ電流は、矩形パルスとして示されているが、その実際の形状は異なる。
【００６２】
図５は、本発明に従った波形生成器の実施形態を示している。波形生成器ＥＧは、交流電圧ＶＡを生成する波形生成器ＷＧ１と、パルス電圧ＶＰを生成する波形生成器ＷＧ２とを有する。交流電圧ＶＡは余弦形状部分又は連続正弦波を有する。パルス電圧ＶＰは、維持電圧ＶＣＰにおけるジャンプをもたらす矩形パルスを有することが可能である。
【００６３】
結合器ＣＣは、維持電圧ＶＣＰを得るために、パルス電圧ＶＰと交流電圧ＶＡとを結合する。結合器ＣＣは、入力電圧が代数的に加算されるように入力電圧を重ね合わせる。
【００６４】
図６は、本発明に従った駆動器の他の実施形態を示している。この実施形態において、図２に存在するコイルＬは、一次巻き線Ｌ１及び二次巻き線Ｌ２を有するトランスにより置き換えられる。一次巻き線Ｌ１は、図２の削除されたコイルＬの位置に挿入されている。二次巻き線Ｌ２は、波形生成器ＷＧ１であるエネルギー回収回路ＥＣＲにより生成される電圧の余弦形状部分にトランスＴにより重ね合わされるパルス電圧ＶＰを受けるために波形生成器ＷＧ２に接続される。
【００６５】
図７は、本発明に従った駆動器の他の実施形態を示している。この実施形態において、トランスＴの一次巻き線Ｌ１は電力供給電圧源と直列に配列されている。二次巻き線Ｌ２ｈａ，波形生成器ＷＧ１であるエネルギー回収回路ＥＣＲにより生成される電圧にトランスＴにより重ね合わされるパルス電圧ＶＰを受けるために波形生成器ＷＧ２に接続される。
【００６６】
上記の実施形態は本発明を制限するために示したのでないこと、及び同時提出の“特許請求の範囲”の範囲から逸脱することなく多くの代替の実施形態を当業者はデザインすることができるであろうことに留意する必要がある。例えば、本発明は、２つの電極のプラズマ表示パネルのような、上記の３つの電極のパネル以外のプラズマ表示パネルに適用されることができる。
【００６７】
パネル静電容量の維持電圧ＶＣＰを示しており、この電圧は、走査電極ＳＥｉ又は共通電極ＳＣｉのみに印加されることが可能である。好適には、この電圧の一部は走査電極ＳＦｉに印加され、他の一部は共通電極ＣＥｉに印加される。例えば、正弦波部分は共通電極ＣＥｉに供給されることが可能であり、パルス信号は走査電極ＳＣｉに供給されることが可能であり、又はその逆も可能である。好適には、単一の共通駆動器ＣＤが並列状態にある共通電極全てを駆動するシステム（又は、幾つかの駆動器は大きいブロックの内部接続された共通電極を駆動するとき）において、正弦波部分が共通電極に印加される。これは、大きいパネルキャパシタを充電するために電流を著しく減少させる。
【００６８】
又、走査電極ＳＥｉ及び共通電極ＳＣｉに１８０°位相のずれた同じパルスを供給することが可能である。例えば、走査電圧は１７０Ｖである一方、共通電圧は０Ｖであり、０Ｖに対する走査ＶＳの立ち下がり勾配は、共通電圧ＶＣの立ち上がり勾配と一致している。
【００６９】
請求項において、括弧内のいずれの参照符号は請求項を制限するとみなされるものではない。表現“を有する”及びその活用表現は、請求項に記載されている構成要素又は段階以外の構成要素又は段階の存在を排除するものではない。構成要素の表現に伴う単数を表す表現は、そのような構成要素の複数の存在を排除するものではない。本発明は、幾つかの区別可能な構成要素を有するハードウェアにより、及び適切にプログラムされたコンピュータにより実施されることができる。幾つかの手段を列挙している装置請求項においては、幾つかのそれらの手段は、１つであって、同じハードウェアのアイテムにより具現化されることができる。特定の対策が互いに異なる従属請求項において列挙されているという事実のみにより、それらの対策の組み合わせが有利になるように用いられることができないことを示すものではない。
【図面の簡単な説明】
【００７０】
【図１】プラズマ表示装置のブロック図である。
【図２】本発明に従ったエネルギー回収回路を示す図である。
【図３Ａ】エネルギー回収回路を有するプラズマ表示装置の維持パルスを示す波形であって、先行技術のプラズマ表示装置において発生する維持パルスを示す図である。
【図３Ｂ】エネルギー回収回路を有するプラズマ表示装置の維持パルスを示す波形であって、本発明に従った実施形態において生成される維持パルスを示す図である。
【図３Ｃ】エネルギー回収回路を有するプラズマ表示装置の維持パルスを示す波形であって、本発明に従った実施形態において生成される維持パルスを示す図である。
【図３Ｄ】エネルギー回収回路を有するプラズマ表示装置の維持パルスを示す波形であって、本発明に従った実施形態において生成される維持パルスを示す図である。
【図３Ｅ】エネルギー回収回路を有するプラズマ表示装置の維持パルスを示す波形であって、本発明に従った実施形態において生成される維持パルスを示す図である。発話認識において設定された類似のタスクを示す図である。
【図４】形成タイムラグを明らかにする時間図である。
【図５】本発明に従った駆動器についての実施形態を示す図である。
【図６】本発明に従った駆動器の他の実施形態を示す図である。
【図７】本発明に従った駆動器の他の実施形態を示す図である。
【図１】
2005522719.tif 000003
【図４】
2005522719.tif 000004
【図２】
2005522719.tif 000005
【図５】
2005522719.tif 000006
【図３Ａ】
2005522719.tif 000007
【図３Ｂ】
2005522719.tif 000008
【図３Ｃ】
2005522719.tif 000009
【図３Ｄ】
2005522719.tif 000010
【図３Ｅ】
2005522719.tif 000011
【図６】
2005522719.tif 000012
【図７】
2005522719.tif 000013
【国際調査報告】
2005522719.tif 000014
2005522719.tif 000015
2005522719.tif 000016